(57)【要約】【課題】ケーブルの損傷を回避できる情報コンセントボックスを提供する。【課題手段】モジュラージャック１が取り付けられ、且つ情報伝達用ケーブル８が通される開口を有する筐体４と、ＯＡフロアの下側から床パネル１２上に引き出され、且つ筐体４の開口を経てモジュラージャック１に接続される情報伝達用ケーブル８と、情報伝達用ケーブル８のＯＡフロアの下側から筐体４に至る部位を周方向に取り囲む屈曲自在な保護筒１３とを備え、この保護筒１３を筐体４に係止して、情報伝達用ケーブル８が踏みつけられないようにする。【選択図】図１
2009140791.tif 000002
【特許請求の範囲】
【請求項１】
モジュラージャックが取り付けられ、且つ所定個所にケーブルが通される開口を有する筐体と、ＯＡフロアの下側から床パネル上に引き出され、且つ前記筐体の開口を経てモジュラージャックに接続されるケーブルと、当該ケーブルのＯＡフロアの下側から筐体に至る部位を周方向に取り囲む屈曲自在な保護筒とを備え、当該保護筒を筐体に係止したことを特徴とする情報コンセントボックス。
【請求項２】
モジュラージャックが取り付けられるベースと、モジュラージャックを覆うようにベースに被さるカバーとで筐体を構成し、保護筒の筐体側端部の周方向半分に被さる樋状の筒受を筐体に設け、これと相対するように保護筒の筐体側端部の残余の周方向半分に被さる他の樋状の筒受を筐体に設け、両筒受により保護筒を挾持させた請求項１に記載の情報コンセントボックス。
【請求項３】
両筒受に環状の係止部材を外嵌させた請求項２に記載の情報コンセントボックス。
【請求項４】
モジュラージャックが取り付けられるベースと、モジュラージャックを覆うようにベースに被さるカバーと、開口に着脱可能でケーブルが通るプレートとで筐体を構成し、保護筒の筐体側端部をプレートに係止した請求項１に記載の情報コンセントボックス。
【請求項５】
プレートと保護筒の筐体側端部との間に連結構造体を介在させた請求項４に記載の情報コンセントボックス。
【請求項６】
筐体内部でのケーブルの最小曲げ半径が、通信機能の低下を回避しえる数値を保つように、開口とモジュラージャックの相対位置を定めた請求項１〜５のいずれかに記載の情報コンセントボックス。
【発明の詳細な説明】
【技術分野】
【０００１】
本発明はネットワーク配線に用いる情報コンセントボックスに関するものである。
【背景技術】
【０００２】
同一経路にまとめられた複数の情報伝達用ケーブルを端末処理してモジュラージャックに成端し、各情報機器ごとに付帯している端末用ケーブルをつなぐ手段として、情報コンセントボックスが使われている（例えば、特許文献１参照）。
【０００３】
図４、図５は従来の情報コンセントボックスを示すものであり、複数のモジュラージャック１を取り付けたベース２と、全てのモジュラージャック１を覆うようにベース２に被さるカバー３とで構成される筐体４を備え、モジュラージャック１には、パーソナルコンピュータなどの情報機器５に接続された端末用ケーブル６のジャックが差し込まれる。
【０００４】
カバー３の所定個所には切り欠き７が形成してあり、ベース２にカバー３を組み付けて筐体４を成立させると、当該切り欠き７によって情報伝達用ケーブル８が通される開口が形作られ、ここから筐体４の内部とへ引き込んだ情報伝達用ケーブル８は、モジュラージャック１に接続されている。
【０００５】
情報伝達用ケーブル８はモジュラージャック１と同数であるので、６個のモジュラージャック１を有する６口の情報コンセントボックスでは、６本の情報伝達用ケーブル８が筐体４に引き込まれており、筐体４の外部では、バインド線によって長手方向に所定間隔で束ねてある。
【０００６】
情報機器５が載せられる机９は、ＯＡフロアの上側に配置され、情報伝達用ケーブル８は、主にＯＡフロアの下側に隠れるように、床スラブ１０に敷設してある。
【０００７】
ＯＡフロアは、床スラブ１０に立設した架構１１と、当該架構１１により支えられて、床スラブ１０を全面的に覆う床パネル１２とで構成されている。
【０００８】
オフィス内における机９の配置替えを考慮して、筐体４を特に固定せずに床パネル１２上に置かれ、筐体４の位置変更に対処するために、情報伝達用ケーブル８の床スラブ１０に敷設されている部分には、床パネル１２上への引き出し代が見込んである。
【０００９】
従って、床パネル１２の引出口から筐体４の間において情報伝達用ケーブル８は、何ら保護されずに床パネル１２上に置かれたり、所定の手段によって机の裏側に固定されている。
【特許文献１】実開平５−０３１１７０号公報
【発明の開示】
【発明が解決しようとする課題】
【００１０】
しかしながら、従来の情報コンセントボックスでは、情報伝達用ケーブル８に規定以上の曲りやねじれが生じたり、床パネル１２などとの接触でシースが破損したり、あるいは机９などの什器の搬入や配置替えを行う際に、床パネル１２上に置かれている情報伝達用ケーブル８が、作業に携わる者、あるいは搬送用台車に踏みつけられて損傷することが懸念される。
【００１１】
本発明は、机などの什器の搬入や配置替えにあたり、ケーブルの損傷を回避できる情報コンセントボックスを提供することを目的としている。
【課題を解決するための手段】
【００１２】
上記目的を達成するため、請求項１に記載の発明では、モジュラージャックが取り付けられ、且つ所定個所にケーブルが通される開口を有する筐体と、ＯＡフロアの下側から床パネル上に引き出され、且つ前記筐体の開口を経てモジュラージャックに接続されるケーブルと、当該ケーブルのＯＡフロアの下側から筐体に至る部位を周方向に取り囲む屈曲自在な保護筒とを備え、当該保護筒を筐体に係止している。
【００１３】
請求項２に記載の発明では、モジュラージャックが取り付けられるベースと、モジュラージャックを覆うようにベースに被さるカバーとで筐体を構成し、保護筒の筐体側端部の周方向半分に被さる樋状の筒受を筐体に設け、これと相対するように保護筒の筐体側端部の残余の周方向半分に被さる他の樋状の筒受を筐体に設け、両筒受により保護筒を挾持させている。
【００１４】
請求項３に記載の発明では、両筒受に環状の係止部材を外嵌させている。
【００１５】
請求項４に記載の発明では、モジュラージャックが取り付けられるベースと、モジュラージャックを覆うようにベースに被さるカバーと、開口に着脱可能でケーブルが通るプレートとで筐体を構成し、保護筒の筐体側端部をプレートに係止している。
【００１６】
請求項５に記載の発明では、プレートと保護筒の筐体側端部との間に連結構造体を介在させている。
【発明の効果】
【００１７】
本発明の情報コンセントボックスによれば、下記のような優れた効果を奏し得る。
【００１８】
（１）床パネル上において情報伝達用ケーブルを保護筒により周方向に取り囲むようにしたので、情報伝達用ケーブルが踏みつけられることがなくなり、情報伝達用ケーブルの損傷を回避できる。
【００１９】
（２）筐体に設けた筒受により保護筒を挾持させる構成、もしくは、筐体に着脱可能なプレートとと保護筒の筐体側端部との間に連結構造体を介在させる構成を採れば、現場において保護筒を筐体に容易に係止させることができる。
【発明を実施するための最良の形態】
【００２０】
以下、本発明の実施の形態を図面に基づき説明する。
【００２１】
図１は本発明の情報コンセントボックスの概要を示すもので、図中、図４、図５と同一の符号を付した部分は同一物を表している。
【００２２】
この情報コンセントボックスは、筐体４と、屈曲可能な蛇腹状の保護筒１３とを備えている。
【００２３】
情報伝達用ケーブル８のＯＡフロア（床パネル１２）の下側から筐体４に至る部位は、保護筒１３に通され、この保護筒１３の端部を筐体４に連結している。
【００２４】
床パネル１２上側の情報伝達用ケーブル８は、保護筒１３により周方向に取り囲まれた状態となっており、机９などの什器の搬入や配置替えを行う際に、情報伝達用ケーブル８が、作業に携わる者、あるいは搬送用台車に踏みつけられることがなく、よって、情報伝達用ケーブルの損傷を回避できる。
【００２５】
筐体４の位置変更に対処するために、保護筒１３の床スラブ１０に敷設されている部分には、情報伝達用ケーブル８と同様に、床パネル１２上への引き出し代が見込んであり、保護筒１３は、通常、壁内、コンクリート床スラブ中、または軽量形鋼作りの間仕切り内に配置される電線や通信線の経路確保、あるいはアウトレットボックスなどの中継端子に至る電線や通信線の保護に用いているが、この事例では、保護筒１３を床パネル１２上に引き出して情報伝達用ケーブル８の保護を図っている。
【００２６】
図２は図１に関連する保護筒係止構造の一例を示すもので、図中、図１、図４、図５と同一の符号を付した部分は同一物を表している。
【００２７】
この事例では、モジュラージャック１が取り付けられるベース２と、モジュラージャック１を覆うようにベース２に被さるカバー３とで筐体４を構成している。
【００２８】
カバー３の切り欠き７の近傍に、保護筒１３の筐体４側端部の周方向半分に被さる樋状の筒受１４を形成し、これと相対するように、保護筒１３の筐体４側端部の残余の周方向半分に被さる樋状の筒受１５をベース２に形成する。
【００２９】
これら筒受１４，１５を径方向に突き合わせた短円筒の内径は、保護筒１３の外周面に筒受１４，１５の凹湾曲面が密着するような寸法としてあり、加えて、筒受１４，１５を径方向に突き合わせた短円筒の外周面に密着可能なリング１６を用いる。
【００３０】
筐体４に保護筒１３を係止する場合には、保護筒１３の端部にリング１６に嵌めておき、当該保護筒１３に情報伝達用ケーブル８を通してモジュラージャック１に接続する。
【００３１】
筒受１４，１５と保護筒１３に最も近いモジュラージャック１の位置関係は、保護筒１３の端部から当該モジュラージャック１に至る情報伝達用ケーブル８の最小曲げ半径が、ケーブル８自体の直径の４倍の値を下回らないように設定してあり、通信機能が低下することを回避している。
【００３２】
次いで、ベース２にカバー３を組み付けて筐体４を成立させる際に、保護筒１３を筒受１４，１５によって挾持する。
【００３３】
更に、筒受１４，１５の外周面に密着する位置へリング１６を動かすと、保護筒１３が筐体４に係止される。
【００３４】
筒受１４，１５の外周面には、リング１６の抜け止めとして突起ａが形作られ、また、筒受１４，１５の内周面には、保護筒１３の蛇腹部分に引っ掛かるような突起が形作ってある。
【００３５】
このように、筐体４に付帯する筒受１４，１５により保護筒１３の端部を挾持するので、現場において保護筒１３を筐体４に容易に係止させることができる。
【００３６】
保護筒１３内の情報伝達用ケーブル８は、結束バンドで束ねる必要がないので、側圧による特性劣化が発現せず、しかも、保護筒１３が極端に柔らかではなく、その曲げ半径も著しく小さくならないので、情報伝達用ケーブル８の最小曲げ半径は、ケーブル８自体の直径の４倍の値を下回らない。
【００３７】
図３は図１に関連する保護筒係止構造の別の例を示すもので、図中、図１、図２、図４、図５と同一の符号を付した部分は同一物を表している。
【００３８】
この事例では、モジュラージャック１が取り付けられるベース２と、モジュラージャック１を覆うようにベース２に被さるカバー３とで筐体４を構成している。
【００３９】
カバー３の切り欠き７に、情報伝達用ケーブル８が通されるプレート１７を取り付け、当該プレート１７と保護筒１３の筐体４側端部との間に連結構造体を介在させてある。
【００４０】
プレート１７は、切り欠き７の縁部が入る溝１８を有し、カバー３に対して着脱自在となっている。
【００４１】
連結構造体は、情報伝達用ケーブル８が通るようにプレート１７に一体的に形成され、且つ雌ねじが形作られているソケット１９と、情報伝達用ケーブル８が通るように保護筒１３の端部に取り付けられ、且つ前記ソケット１９に螺合可能な雄ねじが形作られているプラグ２０とを要素としている。
【００４２】
筐体４に保護筒１３を係止する場合には、保護筒１３の端部にプラグ２０を取り付け、当該保護筒１３とプレート１７に情報伝達用ケーブル８を通してモジュラージャック１に接続し、プレート１７のソケット１９に保護筒１３に付帯するプラグ２０を螺合させる。
【００４３】
次いで、ベース２にカバー３を組み付けて筐体４を成立させる際に、前記プレート１７をカバー３の切り欠き７に取り付け、ベース２とカバー３でプレート１７を拘束すると、保護筒１３が筐体４に係止される。
【００４４】
プレート１７に付帯しているソケット１９と保護筒１３に最も近いモジュラージャック１の位置関係は、保護筒１３の端部から当該モジュラージャック１に至る情報伝達用ケーブル８の最小曲げ半径が、ケーブル８自体の直径の４倍の値を下回らないように設定してあり、通信機能が低下することを回避している。
【００４５】
このように、プレート１７のソケット１９と保護筒１３に付帯するプラグ２０とを螺合させ、プレート１７を筐体４に取り付けるので、現場において保護筒１３を筐体４に容易に係止させることができる。
【００４６】
保護筒１３内の情報伝達用ケーブル８は、結束バンドで束ねる必要がないので、側圧による特性劣化が発現せず、しかも、保護筒１３が極端に柔らかではなく、その曲げ半径も著しく小さくならないので、情報伝達用ケーブル８の最小曲げ半径は、ケーブル８自体の直径の４倍の値を下回らない。
【００４７】
カバー３の切り欠き７のうち、情報伝達用ケーブル８が引き込まれないもの対しては、切り欠き７の縁部が入る溝を有する封止板を取り付けて、筐体４内への塵埃の侵入を防ぐようにする（図２も同様）。
【００４８】
なお、本発明の情報コンセントボックスは、上述した実施の形態のみに限定されるものではなく、本発明の要旨を逸脱しない範囲において変更を加え得ることは勿論である。
【産業上の利用可能性】
【００４９】
本発明の情報コンセントボックスは、信号伝達手段として用いられる様々なケーブルの保護に応用できる。
【図面の簡単な説明】
【００５０】
【図１】本発明の情報コンセントボックスの概要を示す全体配置図である。
【図２】図１に関連する保護筒係止の一例を示す斜視図である。
【図３】図１に関連する保護筒係止の別の例を示す斜視図である。
【図４】従来の情報コンセントボックスの概要を示す全体配置図である。
【図５】図４に関連する筐体の一例を示す斜視図である。
【符号の説明】
【００５１】
１  モジュラージャック
２  ベース
３  カバー
４  筐体
７  切り欠き
８  情報伝達用ケーブル（ケーブル）
１２  床パネル
１３  保護筒
１４  筒受
１５  筒受
１６  リング（係止部材）
１７  プレート
１９  ソケット（連結構造体）
２０  プラグ（連結構造体）
【図１】
2009140791.tif 000003
【図２】
2009140791.tif 000004
【図３】
2009140791.tif 000005
【図４】
2009140791.tif 000006
【図５】
2009140791.tif 000007